(57)【要約】【課題】収縮皺が単調でなく複雑な外観を示すものとなり、これを吸収性物品に適用した場合に消費者への訴求力に優れたものを提供する。【解決手段】隣接する第１接合部列Ａ１と第２接合部列Ａ２との間において、第３接合部列Ａ３が形成され、前記第３接合部列Ａ３の前記整列方向の少なくとも一部の間隔Ｓ３が、前記第１接合部列Ａ１の間隔Ｓ１及び第２接合部列Ａ２における前記整列方向の前記間隔Ｓ２より長い。【選択図】図１２
2019103889.tif 000002
【特許請求の範囲】
【請求項１】
通気性を有する第１シート層及び通気性を有する第２シート層の間に弾性シートが介在され、前記第１シート層及び第２シート層が、間隔を空けて配列された多数のシート接合部で、弾性シートを貫通する接合孔を通じて又は前記弾性シートを介して接合された、弾性シート伸縮構造を備えており、
前記弾性シート伸縮構造を示す伸縮領域は、前記弾性シートの伸縮力により伸縮方向に伸縮可能であり、
前記接合部は伸縮方向と交差する整列方向に沿って、間隔を置いた接合部列が形成されており、
前記接合部列は前記伸縮方向に間隔を置いて多数形成されており、
隣接する第１接合部列と第２接合部列との間において、第３接合部列が形成され、
前記第３接合部列の前記整列方向の少なくとも一部の前記間隔が、前記第３接合部列の両側の第１接合部列及び第２接合部列における前記整列方向の前記間隔より長く、
前記整列方向と前記伸縮方向と交差する角度が４５度〜１３５度範囲内で、前記整列方向が前記伸縮方向に対して傾斜している、
ことを特徴とする伸縮部材。
【請求項２】
前記第３接合部列の接合部が、隣接する第１接合部列の接合部及び第２接合部列の接合部と共に、接合部列群を横切る方向に揃う交差列を形成している請求項１記載の伸縮部材。
【請求項３】
交差列が前記整列方向に間隔を置いて複数の列として形成されている請求項２記載の伸縮部材。
【請求項４】
前身頃から後身頃にわたる一体的な外装体、又は前身頃及び後身頃に別々に設けられた外装体と、この外装体の幅方向中間部に取り付けられた、股間部の前後両側にわたる内装体と、前身頃における外装体の両側部と後身頃における外装体の両側部とがそれぞれ接合されたサイドシール部と、ウエスト開口及び左右一対の脚開口とを備えた、請求項１〜３のいずれか１項に記載の前記伸縮部材を有するパンツタイプ使い捨て着用物品であって、
前記前身頃及び後身頃の少なくとも一方における前記外装体は、少なくとも前後方向の一部の範囲における前記サイドシール部間に対応する幅方向範囲にわたり、前記弾性部材が、その伸縮方向が幅方向となるように設けられている、
伸縮部材を有するパンツタイプ使い捨て着用物品。
【発明の詳細な説明】
【技術分野】
【０００１】
本発明は、弾性シート等の弾性シートが第１シート層及び第２シート層で挟まれた伸縮構造を有する伸縮部材及びこの伸縮部材を有するパンツタイプ使い捨て着用物品に関する。
【背景技術】
【０００２】
使い捨ておむつ等の使い捨て着用物品においては、身体表面へのフィット性を向上するために、脚周りや胴周り等の適所に伸縮性を付与することが一般的である。伸縮性を付与するための手法としては、従来、糸ゴム等の細長状弾性部材をその長手方向に伸長した状態で取り付ける手法が広く採用されているが、ある程度の幅で伸縮性を付与したい場合には、糸ゴムを幅に間隔を置いて並べて配置した状態で固定する態様が採用されている。また、さらに面としてのフィット性に優れるものとして、弾性シートを伸縮性の付与方向に伸長した状態で取り付ける手法も本出願人のものも含めて提案されている。（例えば特許文献１及び特許文献２参照）。
【０００３】
この弾性フィルムによる伸縮構造（以下、弾性シート伸縮構造ともいう。）は、伸縮領域が不織布からなる第１シート層と、不織布からなる第２シート層との間に弾性フィルムが積層されてなるとともに、弾性フィルムがそれらの表面に沿う伸縮方向に伸長された状態で、第１シート層及び第２シート層が、伸縮方向及びこれと直交する方向にそれぞれ間隔を空けて配列された多数の点状のシート接合部で、弾性フィルムを貫通する接合孔を通じて接合されてなるものである。
このような弾性シート伸縮構造は、自然長状態では、シート接合部間において弾性フィルムが収縮するので、シート接合部の間隔が狭くなり、第１シート層及び第２シート層におけるシート接合部間に伸縮方向と交差する方向に延びる収縮皺が形成される。
反対に伸長時には、シート接合部間において弾性フィルムが伸長するのに伴い、シート接合部の間隔及び第１シート層及び第２シート層における収縮皺が広がり、第１シート層及び第２シート層の完全展開状態まで弾性伸長が可能となる。この弾性シート伸縮構造は、面的なフィット性に優れるのはもちろん、第１シート層及び第２シート層と弾性フィルムとの面での接合が無く、かつ第１シート層及び第２シート層の接合点の数が極めて少ないため非常に柔軟であり、また、弾性フィルムの接合孔が厚み方向の通気性向上にも寄与するという利点がある。
【０００４】
しかし、前記収縮皺が長く連続すると、外観は収縮皺が一方向に波状に繰り返された一様のものと観察され、単調なものとなり、製品の消費者への訴求力に乏しいものである。
【先行技術文献】
【特許文献】
【０００５】
【特許文献１】特許第５９６７７３６号公報
【特許文献２】特開２０１５−２０４９８２号公報
【発明の概要】
【発明が解決しようとする課題】
【０００６】
そこで本発明の主たる課題は、収縮皺が単調でなく複雑な外観を示すものとなり、これを吸収性物品に適用した場合に消費者への訴求力に優れたものを提供することにある。
【課題を解決するための手段】
【０００７】
上記課題を解決した本発明の伸縮部材は、
通気性を有する第１シート層及び通気性を有する第２シート層の間に弾性シートが介在され、前記第１シート層及び第２シート層が、間隔を空けて形成された多数のシート接合部で、弾性シートを貫通する接合孔を通じて又は前記弾性シートを介して接合された、弾性シート伸縮構造を備えており、
前記弾性シート伸縮構造を示す伸縮領域は、前記弾性シートの伸縮力により伸縮方向に伸縮可能であり、
前記接合部は伸縮方向と交差する整列方向に沿って、間隔を置いた接合部列が形成されており、
前記接合部列は前記伸縮方向に間隔を置いて多数形成されており、
隣接する第１接合部列と第２接合部列との間において、第３接合部列が形成され、
前記第３接合部列の前記整列方向の少なくとも一部の前記間隔が、前記第３接合部列の両側の第１接合部列及び第２接合部列における前記整列方向の前記間隔より長い、
ことを特徴とするものである。
【０００８】
第３接合部列の前記整列方向の少なくとも一部の間隔が、第３接合部列の両側の第１接合部列及び第２接合部列における整列方向の前記間隔より長いと、第１接合部列と第２接合部列との間に、第３接合部列の接合部と接合部とに亘る長さが制限された収縮皺を形成できる。
仮に、第３接合部が存在しないとすれば、第１接合部列と第２接合部列との間の全体に生成される収縮皺は、長いプリーツ状のもの（以下「列間連続プリーツ」ともいう。）となり、この列間連続プリーツが伸縮方向に波打つ形態になり、外観的に単調である。
これに対し、本発明に従って生成される収縮皺は、第３接合部列の接合部と接合部とに亘る長さが制限された収縮皺であり、整列方向全体に連続するものではないから、当該収縮皺が伸縮方向及び整列方向に分散して現出するので、外観に優れる。
換言すれば、収縮皺が単調でなく複雑な外観を示すものとなり、これを吸収性物品に適用した場合に消費者への訴求力に優れたものとなる。
【０００９】
前記整列方向と前記伸縮方向と交差する角度が４５度〜１３５度とすることができる。
前記交差する角度をもたせることにより、吸収性物品に適用したとき、前後方向に収縮皺が整列するのではなく、斜め方向に収縮皺を現出させることができ、例えば糸ゴム群を吸収性物品の幅方向に配置することにより、前後方向に収縮皺を現出させる形態とは異なる、特異な外観を現出させることができ、消費者への訴求力に優れたものとなる。
【００１０】
前記第３接合部列の接合部が、隣接する第１接合部列の接合部及び第２接合部列の接合部と共に、接合部列群を横切る方向に揃う交差列を形成している実施の形態を提供できる。
【００１１】
接合部列の両側に整列方向の収縮皺が形成される。逆に、整列方向の収縮皺と整列方向の収縮皺との間は、接合部列である。収縮皺間の接合部列が整列方向全体に連続していると、通気経路は全体的に直線的となる。
しかるに着用者が吸収性物品を着用したとき、伸縮領域に対する着用者の肌の当たりかた（例えば強く当たるか弱く当たるか）が異なる場合があり、この場合には、部分的に通気経路が十分でないことがある。
これに対し、第３接合部列が形成されると、第３接合部列に沿う通気経路が形成され、整列方向の通気経路と接合部列群を横切る方向の通気経路とが連通し、網目状の通気経路が形成される結果、着用者から発散されるムレを前記の網目状の通気経路を介して排気できる。
【００１２】
交差列が前記整列方向に間隔を置いて複数の列として形成されている形態とすることができる。
整列方向の収縮皺と収縮皺との途切れが外観として明りょうとなり、デザインが明確となる。
また、前記通気経路が十分に確保できる利点もある。
【００１３】
前身頃から後身頃にわたる一体的な外装体、又は前身頃及び後身頃に別々に設けられた外装体と、この外装体の幅方向中間部に取り付けられた、股間部の前後両側にわたる内装体と、前身頃における外装体の両側部と後身頃における外装体の両側部とがそれぞれ接合されたサイドシール部と、ウエスト開口及び左右一対の脚開口とを備えた、請求項１〜３のいずれか１項に記載の前記伸縮部材を有するパンツタイプ使い捨て着用物品であって、
前記前身頃及び後身頃の少なくとも一方における前記外装体は、少なくとも前後方向の一部の範囲における前記サイドシール部間に対応する幅方向範囲にわたり、前記弾性部材が、その伸縮方向が幅方向となるように設けられている、
伸縮部材を有するパンツタイプ使い捨て着用物品。
ことを特徴とするものである。
【００１４】
パンツタイプ使い捨て着用物品における外装体として前記伸縮部材を適用すると、本発明に従って得られる外観に関する利点を十分に発揮した製品となる。
【発明の効果】
【００１５】
以上のとおり、本発明によれば、収縮皺が単調でなく複雑な外観を示すものとなり、これを吸収性物品に適用した場合に消費者への訴求力に優れたものとなる。
【図面の簡単な説明】
【００１６】
【図１】展開状態のパンツタイプ使い捨ておむつの平面図（内面側）である。
【図２】展開状態のパンツタイプ使い捨ておむつの平面図（外面側）である。
【図３】展開状態のパンツタイプ使い捨ておむつの要部のみ示す平面図である。
【図４】（ａ）は図１のＣ−Ｃ断面図、（ｂ）は図１のＥ−Ｅ断面図である。
【図５】図１のＡ−Ａ断面図である。
【図６】図１のＢ−Ｂ断面図である。
【図７】展開状態のパンツタイプ使い捨ておむつにおける伸縮領域の要部平面図（内面側）である。
【図８】（ａ）は図１のＣ−Ｃ線に対応する断面図、（ｂ）は図１のＥ−Ｅ線に対応する断面図である。
【図９】特許文献１が開示する接合部配列を示す平面図及び断面図である。
【図１０】特許文献２が開示する接合部配列を示す平面図である。
【図１１】説明用参考例としての接合部配列を示す平面図である。
【図１２】本発明の接合部配列の第１実施例を示すものである。
【図１３】本発明の接合部配列の第２実施例を示す平面図である。
【図１４】本発明の接合部配列の第３実施例を示す平面図である。
【図１５】本発明の接合部配列の第４実施例を示す平面図である。
【図１６】本発明の接合部配列の第５実施例を示す平面図である。
【図１７】本発明の接合部配列の第６実施例を示す平面図である。
【図１８】本発明の接合部配列の第７実施例を示す平面図である。
【図１９】本発明の接合部配列の第８実施例を示す平面図である。
【図２０】本発明の接合部配列の第９実施例を示す平面図である。
【図２１】本発明の接合部配列の第１０実施例を示す平面図である。
【図２２】本発明の接合部配列の第１１実施例を示す平面図である。
【図２３】本発明の接合部配列の第１２実施例を示す平面図である。
【図２４】本発明の接合部配列の第１３実施例を示す平面図である。
【図２５】本発明の接合部配列の第１４実施例を示す平面図である。
【図２６】接合部での接合形態例を示す平面図である。
【図２７】接合形態例を示す説明用断面図である。
【図２８】接合形態例を示す説明用断面図である。
【図２９】接合形態例を示す平面図である。
【図３０】伸縮部材の製造用超音波シール装置の概略図である。
【発明を実施するための形態】
【００１７】
以下、本発明の一実施形態について、添付図面を参照しつつ詳説する。なお、断面図中の点模様部分はホットメルト接着剤等の接合手段を示している。
図１〜図６は、本発明の使い捨て着用物品の一例としてのパンツタイプ使い捨ておむつを示している。符号ＬＤ（縦方向）は前後方向を、ＷＤは幅方向を示している。
このパンツタイプ使い捨ておむつ（以下、単におむつともいう。）は、前身頃Ｆ及び後身頃Ｂをなす外装体２０と、この外装体２０の内面に固定され一体化された内装体１０とを有しており、内装体１０は液透過性トップシート１１と液不透過性シート１２との間に吸収体１３が介在されてなるものである。製造に際しては、外装体２０の内面（上面）に対して内装体１０の裏面がホットメルト接着剤などの接合手段によって接合された後に、内装体１０及び外装体２０が前身頃Ｆ及び後身頃Ｂの境界である前後方向ＬＤ（縦方向）の中央で折り畳まれ、その両側部が相互に熱溶着又はホットメルト接着剤などによって接合されてサイドシール部２１が形成されることによって、ウエスト開口及び左右一対の脚開口が形成されたパンツタイプ使い捨ておむつとなる。
【００１８】
（内装体の構造例）
内装体１０は、図４〜図６に示すように、液透過性トップシート１１と、ポリエチレン等からなる液不透過性シート１２との間に、吸収体１３を介在させた構造を有しており、トップシート１１を透過した排泄液を吸収保持するものである。内装体１０の平面形状は特に限定されないが、図１に示されるようにほぼ長方形とすることが一般的である。
【００１９】
吸収体１３の表側（肌側）を覆う液透過性トップシート１１としては、有孔又は無孔の不織布や多孔性プラスチックシートなどが好適に用いられる。不織布を構成する素材繊維は、ポリエチレン又はポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性トップシート１１に多数の透孔を形成した場合には、尿などが速やかに吸収されるようになり、ドライタッチ性に優れたものとなる。液透過性トップシート１１は、吸収体１３の側縁部を巻き込んで吸収体１３の裏側まで延在している。
【００２０】
吸収体１３の裏側（非肌当接側）を覆う液不透過性シート１２は、ポリエチレン又はポリプロピレンなどの液不透過性プラスチックシートが用いられるが、近年はムレ防止の点から透湿性を有するものが好適に用いられる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートである。
【００２１】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収体１３は、形状及びポリマー保持等のため、必要に応じてクレープ紙等の、液透過性及び液保持性を有する包装シート１４によって包装することができる。
【００２２】
吸収体１３の形状は、股間部に前後両側よりも幅の狭い括れ部分１３Ｎを有するほぼ砂時計状に形成されている。括れ部分１３Ｎの寸法は適宜定めることができるが、括れ部分１３Ｎの前後方向長さはおむつ全長の２０〜５０％程度とすることができ、その最も狭い部分の幅は吸収体１３の全幅の４０〜６０％程度とすることができる。このような括れ部分１３Ｎを有する場合において、内装体１０の平面形状がほぼ長方形とされていると、内装体１０における吸収体１３の括れ部分１３Ｎと対応する部分に、吸収体１３を有しない無吸収体側部１７が形成される。
【００２３】
液不透過性シート１２は、液透過性トップシート１１とともに吸収体１３の幅方向両側で裏側に折り返されている。この液不透過性シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００２４】
内装体１０の両側部には脚周りにフィットする立体ギャザー９０が形成されている。この立体ギャザー９０は、図５及び図６に示されるように、内装体１０の裏面の側部に固定された固定部９１と、この固定部９１から内装体１０の側方を経て内装体１０の表面の側部上まで延在する本体部９２と、本体部９２の前後端部が倒伏状態で内装体１０の表面（図示形態ではトップシート１１）の側部に固定されて形成された倒伏部分９３と、この倒伏部分９３間が非固定とされて形成された自由部分９４とを有している。これらの各部は、不織布などのシートを折り返して二重シートとしたギャザーシート９５により形成されている。ギャザーシート９５は、内装体１０の前後方向全体にわたり取り付けられており、倒伏部分９３は無吸収体側部１７よりも前側及び後側に設けられ、自由部分９４は無吸収体側部１７の前後両側に延在されている。また、二重のギャザーシート９５間には、自由部分の先端部等に細長状ギャザー弾性部材９６が配設されている。ギャザー弾性部材９６は、製品状態において図５に示すように、弾性伸縮力により自由部分９４を立ち上げるためのものである。
【００２５】
図５及び図６に示す形態では、倒伏非伸縮部分９７以外ではギャザー弾性部材９６の位置のホットメルト接着剤を介して、ギャザー弾性部材９６がギャザーシート９５に接着固定されるとともに、ギャザーシート９５の対向面が接合されているものの、倒伏非伸縮部分９７では、ギャザー弾性部材９６の位置にホットメルト接着剤が無く、したがってギャザー弾性部材９６とギャザーシート９５とが接着されておらず、ギャザー弾性部材９６を有する位置でギャザーシート９５の対向面が接合されていないものである。
【００２６】
図５及び図６に示される立体ギャザー９０は、本体部９２が折り返されていない形態である。
【００２７】
ギャザー弾性部材９６としては、通常使用されるスチレン系ゴム、オレフィン系ゴム、ウレタン系ゴム、エステル系ゴム、ポリウレタン、ポリエチレン、ポリスチレン、スチレンブタジエン、シリコーン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、ギャザー弾性部材９６としては、図示形態のような糸状の他、ある程度の幅を有するテープ状のものを用いることもできる。
【００２８】
前述のギャザーシート９５を構成する素材繊維も液透過性トップシート１１と同様に、ポリエチレン又はポリプロピレン等のオレフィン系、ポリエステル系、ポリアミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザーシート９５については、尿などの透過を防止するとともに、カブレを防止しかつ肌への感触性（ドライ感）を高めるために、シリコーン系、パラフィン金属系、アルキルクロミッククロライド系撥水剤などをコーティングした撥水処理不織布を用いるのが望ましい。
【００２９】
図３〜図６に示すように、内装体１０はその裏面が、内外固定領域１０Ｂ（斜線領域）において、外装体２０の内面に対してホットメルト接着剤等により接合される。この内外固定領域１０Ｂは、適宜定めることができ、内装体１０の幅方向ＷＤのほぼ全体とすることもできるが、幅方向両端部は外装体２０に固定しないことが好ましい。
【００３０】
（外装体の構造例）
外装体２０は吸収体１３の側縁より外方に延在されている。外装体２０は図示形態のように股間部において外装体２０の側縁が内装体１０の側縁より幅方向中央側に位置していても、また幅方向外側に位置していても良い。また、外装体２０は、サイドシール部２１と対応する前後方向範囲である胴周り部Ｔと、前身頃Ｆの胴周り部Ｔ及び後身頃Ｂの胴周り部Ｔの間の前後方向範囲である中間部Ｌとを有する。
【００３１】
そして、図示形態の外装体２０では、その中間部Ｌの前後方向中間を除いて、図２及び図４〜図６に示されるように、第１シート層２０Ａ及び第２シート層２０Ｂの間に、弾性シート、例えば弾性フィルム３０が介在されるとともに、図９に示されるように、第１シート層２０Ａ及び第２シート層２０Ｂが、間隔を空けて配列された多数のシート接合部４０で弾性フィルム３０を貫通する接合孔３１を通じて接合された弾性シート伸縮構造２０Ｘを有している。
上記おむつへの適用形態においては、弾性シート（図９の例では弾性フィルム３０）伸縮方向ＥＤは、おむつの幅方向ＷＤとされている。
【００３２】
第１シート層２０Ａ及び第２シート層２０Ｂは、弾性フィルム３０の接合孔３１を通じてではなく、弾性フィルム３０を介して間接的に接合されていても良い。外装体２０の平面形状は、中間部Ｌの幅方向両側縁がそれぞれ脚開口を形成するように凹状の脚周りライン２９により形成されており、全体として砂時計に似た形状をなしている。外装体２０は、前身頃Ｆ及び後身頃Ｂで個別に形成し、両者が股間部でおむつの前後方向ＬＤに離間するように配置しても良い。
【００３３】
図１及び図２に示す形態は、弾性シート伸縮構造２０Ｘがウエスト端部２３まで延在されている形態であるが、ウエスト端部２３に弾性シート伸縮構造２０Ｘを用いると、ウエスト端部２３の締め付けが不十分になる等、必要に応じて、図７及び図８に示すようにウエスト端部２３には弾性シート伸縮構造２０Ｘを設けずに、従来の細長状のウエスト部弾性部材２４による伸縮構造を設けることもできる。ウエスト部弾性部材２４は、前後方向ＬＤに間隔をおいて配置された複数の糸ゴム等の細長状弾性部材であり、身体の胴周りを締め付けるように伸縮力を与えるものである。ウエスト部弾性部材２４は、間隔を密にして実質的に一束として配置されるのではなく、所定の伸縮ゾーンを形成するように前後方向に３〜８ｍｍ程度の間隔を空けて、３本以上、好ましくは５本以上配置される。ウエスト部弾性部材２４の固定時の伸長率は適宜定めることができるが、通常の成人用の場合２３０〜３２０％程度とすることができる。ウエスト部弾性部材２４は、図示例では糸ゴムを用いたが、例えば平ゴム等、他の細長状の伸縮部材を用いても良い。図示しないが、ウエスト端部２３に弾性フィルム３０を設けるとともに、弾性フィルム３０と重なる位置に細長状のウエスト部弾性部材２４を設け、両方の弾性部材による伸縮構造とすることもできる。また、図示形態では、外装体２０における脚開口の縁部分には、脚開口に沿って延びる細長状弾性部材は設けられていないが、当該縁部分における弾性フィルム３０と重なる位置に、又は当該縁部分の弾性フィルム３０に代えて、細長状弾性部材を設けることもできる。
【００３４】
他の形態としては、図示しないが、前身頃Ｆの胴周り部Ｔと後身頃Ｂの胴周り部Ｔとの間の中間部Ｌには弾性シート伸縮構造２０Ｘを設けない形態としたり、前身頃Ｆの胴周り部Ｔ内から中間部Ｌを経て後身頃Ｂの胴周り部Ｔ内まで前後方向ＬＤに連続的に弾性シート伸縮構造２０Ｘを設けたり、前身頃Ｆ及び後身頃Ｂのいずれか一方にのみ弾性シート伸縮構造２０Ｘを設けたりすること等、適宜の変形も可能である。
【００３５】
（接合部の形態）
本発明では、接合部の配置に特徴を有する。この特徴を明らかにするために従来例の接合部の配置について具体的に説明しておく。
【００３６】
図９は特許文献１に代表例として示されたものである。
すなわち、接合部４０群は、千鳥状配列とされ、接合部４０は伸縮方向と直交する方向に細長く、かつ伸縮方向の中央を通る中央線に関して線対称（図９（ａ）において左右対称）の形状とされており、接合部４０の伸縮方向の幅４０ｘは好ましくは０．２〜０．４ｍｍとされ、伸縮方向に並ぶ接合部４０の間隔ｄ１は３〜１２．９ｍｍ、より好ましくは５〜６．４ｍｍとされ、伸縮方向と直交する方向に並ぶ接合部４０の間隔ｄ２は２〜１０．５ｍｍ、より好ましくは２．３〜４．６ｍｍとされたものである。
このように、伸縮方向の幅４０ｘが顕著に狭い接合部４０が、伸縮方向にある程度広い離間間隔ｄ１で千鳥状に配列されるとともに、弾性フィルム３０の収縮力が各接合部４０に対して直接的に作用し、弾性フィルム３０の接合孔３１の位置に各接合部４０の配置・間隔がしっかりと維持される結果、柔軟性が低下しにくい。また、襞２５ｆが伸縮方向と直交する方向に沿って殆ど真っ直ぐに延び、しかも、その襞２５ｆと襞２５ｆとの間に接合部４０が隠れて目立たなくなる。よって、柔軟性の低下を抑えつつ、より布に近い外観の弾性シート伸縮構造２０Ｘとなる。
【００３７】
これに対して接合部４０の配列は千鳥状配列であるものの、接合部４０の形状を円形とすると、皺の襞２５ｆと襞２５ｆとの間に接合部４０がはっきりと視認されるだけでなく、襞２５ｆが接合部４０を大きく回り込むようにして伸縮方向と直交する方向に伸びるため、全体として波線状の襞２５ｆが形成され、布のような外観が得られない傾向がある。
【００３８】
このような観点から、接合部４０の形状は伸縮方向と直交する方向に細長いものが望ましい。しかるに、接合部４０の伸縮方向と直交する方向の最大長さが短すぎたり、長過ぎたりすると、襞２５ｆの直線性が低下したり、柔軟性が低下したりするおそれがある。よって、これらの寸法は適宜定めることができるものの、接合部４０の伸縮方向と直交する方向の長さ４０ｙは０．４〜３．２ｍｍ、特に０．７〜１．４ｍｍであることが好ましいとされている。
【００３９】
他方、特許文献２では、図１０（ａ）（ｂ）に示す２例とも、伸縮性フィルムの開口部（やや縦長の長方形で図示されている）の配列は同じく千鳥状配列であり、（ｂ）の例では小円形の副接合部が長方形の主開口部間に配置されているものである。（ｂ）例においても千鳥状配列の思想に基づくものである。
そして、各開口部の配置及び寸法は、図１０に記載した寸法範囲（単位はｍｍである。）であることが、主に外観、肌触り及び通気性などの点が好ましいとしている。
【００４０】
特許文献１及び２の両発明は、縦長の開口部を開示するとともに、千鳥状の配置を開示している。
しかし、従来例では、伸縮方向と直交する方向の、弾性フィルムの開口部間の離間間隔が大きく設定してあるので、伸縮方向の伸縮応力が高く、例えばパンツ型使い捨ておむつに適用した場合に過度に（幅方向に）強く締め付けることになると感じる着用者も少なからず存在する。
ここで、開口部長さＢが０．３〜０．７ｍｍ、離間間隔Ｈが０．６〜１．４ｍｍとされている。
【００４１】
これに対して、本発明者は、図１１に示すように、伸縮方向と直交する方向（図面では上下方向：符号ＬＤの方向）の、弾性フィルムの開口部間の離間間隔を小さく設定すると伸縮方向の伸縮応力を小さくでき、もって、パンツ型使い捨ておむつに適用した場合に弱い締付力により着用者に対してやさしくフィットさせることが可能であることを知見した。
この理由は、開口部は、外部からの幅方向（弾性フィルムの伸縮方向）に小さい伸長力を与えるだけで、図９のように幅方向に開口して接合孔３１となるのに対し、開口部間の伸縮方向と直交する離間間隔領域では、幅方向に伸長させたとしても、開口部は存在しないので、弾性フィルムの伸長応力がそのまま収縮力となって着用者を締め付けるようになるためであると考えられる。
【００４２】
図１１に示す形態は、着用者に対してやさしくフィットさせることができるほか、接合部が占める面積率、幅方向に伸長した使用状態においては接合孔の占める面積率が高くなるので通気性に優れるとの利点ももたらされる。
しかし、図１１（ａ）に示す形態の製品における使用形態では、
直交方向ＬＤに沿った接合部４０，４０…の列と、これと伸縮方向ＥＤ（幅方向）に離間する隣接する接合部４０，４０…の列との離間領域に、整列方向（直交方向）ＬＤに沿った皺が形成される。この皺２５Ｆは、図１１（ｂ）に示すように、単に一様の山形状である。すなわち、特許文献１に示され、ここに図９（ｃ）に示す横断面と異なる。
図１１に示す形態を、製品の伸縮領域全体としてデザインの観点からみたとき、整列方向ＬＤに長い皺２５Ｆ（列間連続プリーツ）が伸縮方向ＥＤ（幅方向）に一様の繰り返しで形成されているだけの、ともすれば単純なデザインであり、商品のアピール性に乏しいものとなる。
【００４３】
本発明は、第１接合部及び第２接合部を有し、具体的には特許請求の範囲に記載の構成であり、種々の形態を含み、また、各種の形態の組み合わせも含むものである。
紙幅の都合上、以下、代表例について順次説明する。
なお、図１２〜図２５は、第１シート層２０Ａと第２シート層２０Ｂとの接合部４０の配置を図示するとともに、弾性シート、例えば弾性フィルム３０の収縮により生成する収縮皺を符号２６により示した。接合部４０の形状は適宜選択できるが、例示は長方形のものである。
また、通気経路を符号ＰＷ（破線の経路）で示した。
【００４４】
＜第１実施例＞
図１２に示す第１実施例に係る伸縮部材においては、通気性を有する第１シート層（図示されていない）及び通気性を有する第２シート層（図示されていない）の間に弾性シート（図示されていない）が介在され、前記第１シート層及び第２シート層が、間隔を空けて配列された多数のシート接合部４０で、弾性シートを貫通する接合孔（図示されていない）を通じて又は前記弾性シートを介して接合された、弾性シート伸縮構造を備えている。
また、前記弾性シート伸縮構造を示す伸縮領域は、前記弾性シートの伸縮力により伸縮方向に伸縮可能である。
【００４５】
本発明においては、接合部４０は伸縮方向と交差する（図１２の図示例では直交して交差している）整列方向に沿って、間隔を置いた接合部列が形成されている（図１２の図示例では、上下に整列している。）。
【００４６】
図１２において、隣接する第１接合部列Ａ１と第２接合部列Ａ２との間において、第３接合部列Ａ３が形成され、第３接合部列Ａ３の整列方向の少なくとも一部の間隔Ｓ３が、第３接合部列Ａ３の両側の第１接合部列Ａ１及び第２接合部列Ａ２における記整列方向の間隔Ｓ１、Ｓ２より長いものとなっている。
【００４７】
かかる形態においては、第１接合部列Ａ１と第２接合部列Ａ２との間に、第３接合部列Ａ３の接合部４０と接合部４０とに亘る長さが制限された収縮皺２６を形成できる。
仮に、第３接合部４０が存在しないとすれば、第１接合部列Ａ１と第２接合部列Ａ２との間の全体に生成される収縮皺は、図１１に示したように、長いプリーツ状のもの、すなわち列間連続プリーツとなり、この列間連続プリーツが伸縮方向に波打つ形態になり、外観的に単調である。
これに対し、本発明に従って生成される収縮皺２６は、第１接合部列Ａ１と第２接合部列Ａ２との間に、第３接合部列Ａ３の接合部４０と接合部４０とに亘る長さが制限された収縮皺２６であり、整列方向全体に連続するものではないから、当該収縮皺２６が伸縮方向及び整列方向に分散して現出するので、外観に優れる。
換言すれば、収縮皺２６が単調でなく複雑な外観を示すものとなり、これを吸収性物品に適用した場合に消費者への訴求力に優れたものとなる。
【００４８】
なお、後に説明する図２５の例のように、整列方向が伸縮方向ＥＤ（ＷＤ）と直交するのではなく、交差する角度θが例えば４５度〜１３５度の範囲内で交差させることができる。
前記交差する角度をもたせることにより、吸収性物品に適用したとき、前後方向に収縮皺が整列するのではなく、斜め方向に収縮皺２６を現出させることができ、例えば糸ゴム群を吸収性物品の幅方向に配置することにより、前後方向に収縮皺を現出させる従来の形態とは異なる、特異な外観を現出させることができ、消費者への訴求力に優れたものとなる。
【００４９】
他方、図１２に図示されているように、第３接合部列の接合部４０が、隣接する第１接合部Ａ１列の接合部４０及び第２接合部列の接合部４０と共に、接合部列群を横切る方向に揃う交差列Ｘを形成している実施の形態を提供できる。
【００５０】
接合部列の両側に整列方向の収縮皺２６が形成される。逆に、整列方向の収縮皺２６と整列方向の収縮皺２６との間は、接合部列が存在する。収縮皺２６、２６間の接合部列が整列方向全体に連続していると、通気経路は全体的に直線的となる。
しかるに着用者が吸収性物品を着用したとき、伸縮領域に対する着用者の肌の当たりかた（例えば強く当たるか弱く当たるか）が異なる場合があり、この場合には、部分的に通気経路が十分でないことがある。
これに対し、第３接合部列Ａ３が形成されると、第３接合部列Ａ３の接合部４０に沿う通気経路ＰＷが形成され、整列方向の通気経路ＰＷと接合部列群を横切る方向の通気経路ＰＷとが連通し、網目状の通気経路ＰＷが形成される結果、着用者から発散されるムレを網目状の通気経路ＰＷを介して排気できる。
【００５１】
＜第２実施例＞
図１３に示す実施例では、第１接合部Ａ１列の接合部４０と、第２接合部列の接合部４０との形状及び寸法が異なり、間隔Ｓ１、Ｓ２が相違する例である。
【００５２】
＜第３実施例＞
図１４に示す実施の形態では、第３接合部列の接合部４０が、隣接する第１接合部Ａ１列の接合部４０及び第２接合部列の接合部４０と共に、接合部列群を横切る方向に揃う交差列Ｘを形成している形態である。特に、交差列Ｘを２列形成したものである。通気経路ＰＷの幅（図示例では上下方向幅）が第１実施例より大きくなり、通気性が高くなる。
【００５３】
＜第４実施例＞
図１５に示す実施例では、収縮皺２６の生成が段違いに形成されるようにした例である。デザインとして単調でなく複雑になり、高級感を与えることができる。また、通気経路ＰＷは階段状に形成される。
【００５４】
＜第５実施例＞
図１６に示す実施例では、収縮皺２６の生成が、全体として波状に形成されるようにした例である。デザインとして単調でなく躍動感を与えることができる。また、通気経路ＰＷは波状に形成される。
【００５５】
＜第６実施例＞
図１７に示す実施例では、収縮皺２６の生成が、ほぼ角がやや取れた六角形として形成されるようにした例である。デザインとして単調でなく興味を与えることができる。また、通気経路ＰＷはハニカムに形成される。
【００５６】
＜第７実施例＞
図１８に示す実施例では、収縮皺２６の生成が、さらに複雑な上下に細長い形状として形成されるようにした例である。デザインとして単調でなく興味を与えることができる。また、通気経路ＰＷは角波状に形成される。
【００５７】
＜第８実施例＞
図１９に示す実施例では、交差列が傾斜している例である。収縮皺２６としは、傾斜長方形が生成されるようにしたものである。デザインとして単調でなく興味を与えることができる。
【００５８】
＜第９実施例＞
図２０に示す実施例では、図１８の例に対して、第１の接合部列Ａ１の接合部４０、４０が存在することによって、環状の収縮皺２６が生成されるようにしたものである。デザインとして単調でなく興味を与えることができる。また、通気経路ＰＷは角波状に形成される。
【００５９】
＜第１０実施例＞
図２１に示す実施例では、交差列が図２０の例と反対の方向に傾斜している例である。収縮皺２６としは、傾斜長方形が生成されるようにしたものである。デザインとして単調でなく興味を与えることができる。
【００６０】
＜第１１実施例＞
図２２に示す実施例では、交差列が複数列、図示例では３列で傾斜している例である。収縮皺２６としは、傾斜長方形が生成されるようにしたものである。デザインとして単調でなく興味を与えることができる。
【００６１】
＜第１２実施例＞
図２３に示す実施例では、大きさが異なる収縮皺２６が生成されるようにしたものである。デザインとして単調でなく興味を与えることができる。
【００６２】
＜第１３実施例＞
図２４に示す実施例では、大きさが異なる３とおりの収縮皺２６が生成されるようにしたものである。デザインとして単調でなく興味を与えることができる。
【００６３】
＜第１４実施例＞
上記例では、整列方向が伸縮方向ＥＤ（ＷＤ）と直交するものであるが、図２５の例のように、収縮方向ＥＤ（ＷＤ）と直交するのではなく、交差する角度θが例えば４５度〜１３５度の範囲内で交差させることができる。デザインとして単調でなく興味を与えることができる。交差する角度θは、好ましくは５０度〜１３０度、特に好ましくは６０度〜１２０度である。
【００６４】
図２５に示した第１４実施例との関係で、接合部列を収縮方向ＥＤ（ＷＤ）と直交させるのではなく（すなわちθ＝９０度でなく）、傾斜させることの利点はデザインの観点からでなく、他の利点もある。続いてその利点について説明する。
【００６５】
すなわち、図２５から分かるように、直交方向線上について、接合部４０，４０間の離間間隔が、大きくできる。図１２の例では、第１接合部列Ａ１及び第２接合部列Ａ２においては、接合部４０，４０間の離間間隔がきわめて狭い。前述のようにシート接合部４０における第１シート層２０Ａ及び第２シート層２０Ｂの接合は、ヒートシールや超音波シール等の素材溶着による接合手段によりなされるのが望ましい。
連続生産の場合には、アンビルロールと超音波ホーンとの間で超音波によるシール溶融を行うが、エネルギーロスを防ぐために、アンビルロールの軸線方向全体に、シートに対して超音波ホーンも密接していることが重要となるが、このために線接触する母線に沿っての接合部４０，４０…列のようにアンビルロール凸部割合が大きいパターンを形成する場合には大きな超音波出力を出す必要があり、このために線接触する母線に沿って過大な密接力を作用させるのでは、設備側の負担が大きい。
これに対して、図２５に示す第１４実施例の場合（一般に傾斜配置の場合）には、直交方向の線上に位置する接合部が占める割合が小さいものとなり、安定した線圧となるので、設備負担は小さいものとなり、安定操業が可能である。
【００６６】
接合部４０は、直交方向基準の長さが０．３〜７．０ｍｍ、好ましくは０．５〜５．０ｍｍ、特に好ましくは０．７〜２．５ｍｍで形成される。接合部４０の幅は、０．２〜１．０ｍｍが望ましい。
また、接合部４０，４０…列は、伸縮方向ＥＤ基準の形成ピッチが２．０〜２０．０ｍｍ、好ましくは２．０〜１５．０ｍｍ、特に好ましくは２．０〜１０．０ｍｍで形成される。
【００６７】
さらに、接合部４０，４０…列における隣接する接合部４０，４０相互関係が定める、直交方向基準での距離として、
（隣接する接合部４０，４０間の離間距離ｄ）／（接合部の一点から隣接する接合部の対応する一点までの距離：ピッチ）の割合の百分率が５〜６０％、好ましくは１０〜４５％、特に好ましくは２０〜３５％とされる。
この百分率が過度に高いと、製品に適用した場合、幅方向（伸縮方向）の伸縮応力が高く着用物品として適切なフィット性を得がたい。
また、百分率が過度に低いと、直交方向ＬＤに隣接する接合部４０，４０相互が製造過程で連続化する可能性を排除できないとともに、より根本的には、接合部を形成するアンビル及び加熱ホーンに過度に設備的な負担がかかり、安定操業を阻害することになる。
ることができる。
【００６８】
個々のシート接合部４０及び接合孔３１の自然長状態での形状は、既述の直交方向に長い長方形のほか適宜定めることができる。例えば図２６に一例を示すように凸レンズ形（図２６（ａ）参照）、ひし形（図２６（ｂ）参照）、凹レンズ形（図２６（ｃ）参照）、楕円形（図２６（ｄ）参照）のほか、真円形、三角形、多角形、あるい、星形、雲形等、任意の形状とすることができる。
【００６９】
接合孔３１は、主に接合部４０（４１，４２，４３）の形状と、製造段階又は伸縮の程度に関係してくる。
【００７０】
シート接合部４０における第１シート層２０Ａ及び第２シート層２０Ｂの接合は、弾性フィルム３０に形成された接合孔３１を通じて接合される場合、少なくともシート接合部４０における第１シート層２０Ａ及び第２シート層２０Ｂ間以外では、第１シート層２０Ａ及び第２シート層２０Ｂは弾性フィルム３０と接合されていないことが望ましい。
【００７１】
シート接合部４０における第１シート層２０Ａ及び第２シート層２０Ｂの接合手段は特に限定されない。例えば、シート接合部４０における第１シート層２０Ａ及び第２シート層２０Ｂの接合はホットメルト接着剤によりなされていても、ヒートシールや超音波シール等の素材溶着による接合手段によりなされていても良い。
【００７２】
シート接合部４０において第１シート層２０Ａ及び第２シート層２０Ｂが弾性フィルム３０の接合孔３１を通じて接合される場合、シート接合部４０が素材溶着により形成される形態は、シート接合部４０における第１シート層２０Ａ及び第２シート層２０Ｂの少なくとも一方の大部分又は一部の溶融固化物２０ｍのみにより第１シート層２０Ａ及び第２シート層２０Ｂが接合される第１溶着形態（図２７（ａ）参照）、シート接合部４０における弾性フィルム３０の全部若しくは大部分又は一部の溶融固化物３０ｍのみにより第１シート層２０Ａ及び第２シート層２０Ｂが接合される第２溶着形態（図２７（ｂ）参照）、及びこれらの両者が組み合わさった第３溶着形態（図２７（ｃ）参照）のいずれでも良いが、第２、第３溶着形態が好ましい。
特に好ましいのは、第１シート層２０Ａ及び第２シート層２０Ｂの一部の溶融固化物２０ｍと、シート接合部４０における弾性フィルム３０の全部若しくは大部分の溶融固化物３０ｍとにより第１シート層２０Ａ及び第２シート層２０Ｂが接合される形態である。なお、図２９（ｂ）に示される第３溶着形態では、黒色に写っている第１シート層２０Ａ又は第２シート層２０Ｂの繊維溶融固化物２０ｍ間に、白色に写っている弾性フィルム３０の溶融固化物３０ｍが見られるのに対して、図２９（ａ）に示される第１溶着形態では、第１シート層２０Ａ又は第２シート層２０Ｂの繊維溶融固化物２０ｍ間に弾性フィルムの溶融固化物は見られない。
【００７３】
第１接着形態や第３接着形態のように、第１シート層２０Ａ及び第２シート層２０Ｂの少なくとも一方の大部分又は一部の溶融固化物２０ｍを接着剤として第１シート層２０Ａ及び第２シート層２０Ｂを接合する場合、第１シート層２０Ａ及び第２シート層２０Ｂの一部は溶融しない方がシート接合部４０が硬質化しないため好ましい。
なお、第１シート層２０Ａ及び第２シート層２０Ｂが不織布であるときには、第１シート層２０Ａ及び第２シート層２０Ｂの一部が溶融しないことには、シート接合部４０の全繊維について芯（複合繊維における芯だけでなく単成分繊維の中心部分を含む）は残るがその周囲部分（複合繊維における鞘だけでなく単成分繊維の表層側の部分を含む）は溶融する形態や、一部の繊維は全く溶融しないが、残りの繊維は全部が溶融する又は芯は残るがその周囲部分は溶融する形態を含む。
【００７４】
第２溶着形態及び第３溶着形態のように、弾性フィルム３０の溶融固化物３０ｍを接着剤として第１シート層２０Ａ及び第２シート層２０Ｂを接合すると、剥離強度が高いものとなる。第２溶着形態では、第１シート層２０Ａ及び第２シート層２０Ｂの少なくとも一方の融点が弾性フィルム３０の融点及びシート接合部４０形成時の加熱温度よりも高い条件下で、第１シート層２０Ａ及び第２シート層２０Ｂ間に弾性フィルム３０を挟み、シート接合部４０となる部位を加圧・加熱し、弾性フィルム３０のみを溶融することにより製造することができる。
一方、第３溶着形態では、第１シート層２０Ａ及び第２シート層２０Ｂの少なくとも一方の融点が弾性フィルム３０の融点よりも高い条件下で、第１シート層２０Ａ及び第２シート層２０Ｂ間に弾性フィルム３０を挟み、シート接合部４０となる部位を加圧・加熱し、第１シート層２０Ａ及び第２シート層２０Ｂの少なくとも一方と弾性フィルム３０とを溶融することにより製造することができる。
このような観点から、弾性フィルム３０の融点は８０〜１４５℃程度のものが好ましく、第１シート層２０Ａ及び第２シート層２０Ｂの融点は８５〜１９０℃程度、特に１５０〜１９０℃程度のものが好ましく、第１シート層２０Ａ及び第２シート層２０Ｂの融点と弾性フィルム３０の融点との差は６０〜９０℃程度であるのが好ましい。また、加熱温度は１００〜１５０℃程度とするのが好ましい。
【００７５】
第２溶着形態及び第３溶着形態では、第１シート層２０Ａ及び第２シート層２０Ｂが不織布であるときには、弾性フィルム３０の溶融固化物３０ｍは、図２８（ｃ）に示すようにシート接合部４０における第１シート層２０Ａ及び第２シート層２０Ｂの厚み方向全体にわたり繊維間に浸透していても良いが、図２８（ａ）に示すように厚み方向中間まで繊維間に浸透する形態、又は図２８（ｂ）に示すように第１シート層２０Ａ及び第２シート層２０Ｂの繊維間にほとんど浸透しない形態の方が、シート接合部４０の柔軟性が高いものとなる。
【００７６】
図３０は、第２溶着形態及び第３溶着形態を形成するのに好適な超音波シール装置の例を示している。この超音波シール装置では、シート接合部４０の形成に際して、外面にシート接合部４０のパターンで形成した突起部６０ａを有するアンビルロール６０と超音波ホーン６１との間に、第１シート層２０Ａ、弾性フィルム３０及び第２シート層２０Ｂを送り込む。この際、例えば上流側の弾性フィルム３０の送り込み駆動ロール６３及びニップロール６２による送り込み移送速度を、アンビルロール６０及び超音波ホーン６１以降の移送速度よりも遅くすることにより、送り込み駆動ロール６３及びニップロール６２によるニップ位置からアンビルロール６０及び超音波ホーン６１によるシール位置までの経路で、弾性フィルム３０をＭＤ方向（マシン方向、流れ方向）に所定の伸長率まで伸長する。この弾性フィルム３０の伸長率は、アンビルロール６０及び送り込み駆動ロール６３の速度差を選択することにより設定することができ、例えば３００％〜５００％程度とすることができる。６２はニップロールである。
アンビルロール６０と超音波ホーン６１との間に送り込まれた、第１シート層２０Ａ、弾性フィルム３０及び第２シート層２０Ｂは、この順に積層した状態で、突起部６０ａと超音波ホーン６１との間で加圧しつつ、超音波ホーン６１の超音波振動エネルギーにより加熱し、弾性フィルム３０のみを溶融するか、又は第１シート層２０Ａ及び第２シート層２０Ｂの少なくとも一方と弾性フィルム３０とを溶融することによって、弾性フィルム３０に接合孔３１を形成するのと同時に、その接合孔３１を通じて第１シート層２０Ａ及び第２シート層２０Ｂを接合する。したがって、この場合にはアンビルロール６０の突起部６０ａの大きさ、形状、離間間隔、ロール長方向及びロール周方向の配置パターンなどを選定することにより、シート接合部４０の面積率を選択することができる。
【００７７】
接合孔３１が形成される理由は必ずしも明確ではないが、弾性フィルム３０におけるアンビルロール６０の突起部６０ａと対応する部分が溶融して周囲から離脱することにより開孔するものと考えられる。この際、弾性フィルム３０における、伸縮方向ＥＤに並ぶ隣接する接合孔３１の間の部分は、図９（ａ）及び図１１（ａ）に示すように、接合孔３１により伸縮方向両側の部分から切断され、収縮方向両側の支えを失うことになるため、収縮方向と直交する方向の連続性を保ちうる範囲で、伸縮方向ＥＤと直交する方向ＬＤの中央側ほど伸縮方向中央側に釣り合うまで収縮し、接合孔３１が伸縮方向ＥＤに拡大する。
【００７８】
第１シート層２０Ａ及び第２シート層２０Ｂの構成材は、シート状のものであれば特に限定無く使用できるが、通気性及び柔軟性の観点から不織布を用いることが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。
加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その目付けは１０〜２５ｇ／ｍ2程度とするのが好ましい。また、第１シート層２０Ａ及び第２シート層２０Ｂの一部又は全部は、一枚の資材を折り返して対向させた一対の層であっても良い。例えば、図示形態のように、ウエスト端部２３では、外側に位置する構成材を第２シート層２０Ｂとし、かつそのウエスト開口縁で内面側に折り返してなる折り返し部分２０Ｃを第１シート層２０Ａとして、その間に弾性フィルム３０を介在させるとともに、それ以外の部分では内側に位置する構成材を第１シート層２０Ａとし、外側に位置する構成材を第２シート層２０Ｂとして、その間に弾性フィルム３０を介在させることができる。もちろん、前後方向ＬＤの全体にわたり第１シート層２０Ａの構成材及び第２シート層２０Ｂの構成材を個別に設け、構成材を折り返しすることなく、第１シート層２０Ａの構成材及び第２シート層２０Ｂの構成材間に弾性フィルム３０を介在させることもできる。
【００７９】
弾性フィルム３０は特に限定されるものではなく、それ自体弾性を有する熱可塑性樹脂フィルムであれば、無孔のものの他、通気のために多数の孔やスリットが形成されたものも用いることができる。特に、幅方向ＷＤ（伸縮方向ＥＤ、ＭＤ方向）における引張強度が８〜２５Ｎ／３５ｍｍ、前後方向ＬＤ（伸縮方向と直交する方向ＬＤ、ＣＤ方向）における引張強度が５〜２０Ｎ／３５ｍｍ、幅方向ＷＤにおける引張伸度が４５０〜１０５０％、及び前後方向ＬＤにおける引張伸度が４５０〜１４００％の弾性フィルム３０であると好ましい。弾性フィルム３０の厚みは特に限定されないが、２０〜４０μｍ程度であるのが好ましい。
【００８０】
（伸縮領域）
外装体２０における弾性シート伸縮構造２０Ｘを有する領域は、幅方向ＷＤに伸縮可能な伸縮領域を有している。伸縮領域８０では、弾性フィルム３０が幅方向ＷＤに沿って直線的に連続する部分（例えば図１２に符号３２で示す領域）を有しており、かつ弾性フィルム３０の伸縮力により幅方向ＷＤに収縮しているとともに、幅方向ＷＤに伸長可能となっている。より具体的には、弾性フィルム３０を幅方向ＷＤに伸長した状態で、幅方向ＷＤ及びこれと直交する前後方向ＬＤ（伸縮方向と直交する方向ＬＤ）にそれぞれ間隔を空けて、弾性フィルム３０の接合孔３１を介して第１シート層２０Ａ及び第２シート層２０Ｂを接合し、多数のシート接合部４０を形成することにより、弾性シート伸縮構造２０Ｘを形成するとともに、伸縮領域８０では弾性フィルム３０が幅方向ＷＤに沿って直線的に連続する部分３２を有するように接合孔３１を配置することによって、このような伸縮性を付与することができる。
【００８１】
伸縮領域は、自然長状態では、シート接合部４０間の第１シート層２０Ａ及び第２シート層２０Ｂが互いに離間する方向に膨らんで、前後方向ＬＤに延びる収縮皺２６が形成され、幅方向ＷＤにある程度伸長した装着状態でも、収縮皺２６は伸ばされるものの、残るようになっている。
【００８２】
伸縮領域８０の幅方向ＷＤの弾性限界伸びは２００％以上（好ましくは２６５〜２９５％）とすることが望ましい。伸縮領域８０の弾性限界伸びは、製造時の弾性フィルム３０の伸長率によってほぼ決まるがこれを基本として、幅方向ＷＤの収縮を阻害する要因により低下する。このような阻害要因の主なものは、幅方向ＷＤにおいて単位長さ当たりに占めるシート接合部４０の長さＬの割合であり、この割合が大きくなるほど弾性限界伸びが低下する。通常の場合、シート接合部４０の長さＬはシート接合部４０の面積率と相関があるため、伸縮領域８０の弾性限界伸びはシート接合部４０の面積率により調整できる。
【００８３】
伸縮領域８０におけるシート接合部４０の面積率及び個々のシート接合部４０の面積は適宜定めることができるが、通常の場合、次の範囲内とするのが好ましい。
シート接合部４０の面積：０．１４〜３．５ｍｍ2（特に０．１４〜１．０ｍｍ2）
シート接合部４０の面積率：１．８〜１９．１％（特に１．８〜１０．６％）
【００８４】
このように、伸縮領域８０の弾性限界伸び及び伸長応力はシート接合部４０の面積により調整できるため、図７に示すように、伸縮領域８０内にシート接合部４０の面積率が異なる複数の領域を設け、部位に応じてフィット性を変化させることができる。図７に示す形態では、前身頃Ｆにおける脚の付け根に沿って斜め方向に延びる領域８１、及び脚開口の縁部領域８２は、それ以外の領域と比べてシート接合部４０の面積率が高く、従って伸長応力が弱く、柔軟に伸縮する領域となっている。また、後身頃Ｂにおける腸骨対向領域８３、及び脚開口の縁部領域８２も、それ以外の領域と比べてシート接合部４０の面積率が高く、したがって伸長応力が弱く、柔軟に伸縮する領域となっている。
【００８５】
（非伸縮領域）
外装体２０における弾性シート伸縮構造２０Ｘを有する領域には、図７に示すように、伸縮領域８０の少なくとも幅方向一方側に非伸縮領域７０を設けることができる。伸縮領域８０及び非伸縮領域７０の配置は適宜定めることができる。本実施形態のようなパンツタイプ使い捨ておむつの外装体２０の場合、吸収体１３と重なる部分は伸縮が不要な領域であるため、図示形態のように、吸収体１３と重なる部分の一部又は全部（内外固定領域１０Ｂのほぼ全体を含むことが望ましい）を非伸縮領域７０とするのは好ましい。もちろん、吸収体１３と重なる領域からその幅方向ＷＤ又は前後方向ＬＤに位置する吸収体１３と重ならない領域にかけて非伸縮領域７０を設けることもでき、吸収体１３と重ならない領域にのみ非伸縮領域７０を設けることもできる。
【００８６】
非伸縮領域７０は、弾性フィルム３０は幅方向ＷＤに連続するものの、接合孔３１の存在により幅方向ＷＤに沿って直線的に連続する部分を有しない領域とされている。したがって、弾性フィルム３０を幅方向ＷＤに伸長した状態で、幅方向ＷＤ及びこれと直交する前後方向ＬＤにそれぞれ間隔を空けて、弾性フィルム３０の接合孔３１を介して第１シート層２０Ａ及び第２シート層２０Ｂを接合し、多数のシート接合部４０を形成することにより、伸縮領域８０及び非伸縮領域７０の両者を含む弾性シート伸縮構造２０Ｘ全体を形成するとしても、非伸縮領域７０では、弾性フィルム３０が幅方向ＷＤに沿って直線的に連続しないため、弾性フィルム３０の収縮力が第１シート層２０Ａ及び第２シート層２０Ｂにほとんど作用せず、伸縮性がほぼ消失し、弾性限界伸びは１００％に近くなるのである。
このような非伸縮領域７０では、第１シート層２０Ａ及び第２シート層２０Ｂが間隔を空けて配列された多数のシート接合部４０で接合されており、シート接合部４０が連続的とならないため、柔軟性の低下は防止される。
【００８７】
非伸縮領域７０における弾性フィルム３０における接合孔３１の配列パターンは適宜定めることができる。
非伸縮領域におけるシート接合部４０の面積率及び個々のシート接合部４０の面積は適宜定めることができるが、通常の場合、次の範囲内とすると、各シート接合部４０の面積が小さくかつシート接合部４０の面積率が低いことにより非伸縮領域７０が硬くならいためが好ましい。
シート接合部４０の面積：０．１０〜０．７５ｍｍ2（特に０．１０〜０．３５ｍｍ2）
シート接合部４０の面積率：４〜１３％（特に５〜１０％）
【００８８】
上記例においては、弾性シートとして弾性フィルムを使用している。しかし、弾性不織布を使用することもできる。また、弾性フィルムの片側又は両側に弾性不織布をもうけ、これを１シート層２０Ａと第２シート層２０Ｂの間に介在させることができる。
【００８９】
＜明細書中の用語の説明＞
明細書中の以下の用語は、明細書中に特に記載が無い限り、以下の意味を有するものである。
・「前身頃」「後身頃」は、パンツタイプ使い捨ておむつの前後方向中央を境としてそれぞれ前側及び後側の部分を意味する。また、股間部は、パンツタイプ使い捨ておむつの前後方向中央を含む前後方向範囲を意味し、吸収体が括れ部を有する場合には当該括れ部を有する部分の前後方向範囲を意味する。
・「弾性限界伸び」とは、伸縮方向ＥＤにおける弾性限界（換言すれば第１シート層及び第２シート層が完全に展開した状態）の伸びを意味し、弾性限界時の長さを自然長を１００％としたときの百分率で表すものである。
・「面積率」とは単位面積に占める対象部分の割合を意味し、対象領域（例えば伸縮領域８０、非伸縮領域７０）における対象部分（例えばシート接合部４０、接合孔３１の開口、通気孔）の総和面積を当該対象領域の面積で除して百分率で表すものであり、特に伸縮構造を有する領域における「面積率」とは、伸縮方向ＥＤに弾性限界まで伸ばした状態の面積率を意味するものである。対象部分が間隔を空けて多数設けられる形態では、対象部分が１０個以上含まれるような大きさに対象領域を設定して、面積率を求めることが望ましい。
・「伸長率」は、自然長を１００％としたときの値を意味する。
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
・吸収体の「厚み」は、株式会社尾崎製作所の厚み測定器（ピーコック、ダイヤルシックネスゲージ大型タイプ、型式Ｊ−Ｂ（測定範囲０〜３５ｍｍ）又は型式Ｋ−４（測定範囲０〜５０ｍｍ））を用い、試料と厚み測定器を水平にして、測定する。
・上記以外の「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
・「引張強度」及び「引張伸度（破断伸び）」は、試験片を幅３５ｍｍ×長さ８０ｍｍの長方形状とする以外は、ＪＩＳ  Ｋ７１２７：１９９９「プラスチック−引張特性の試験方法−」に準じて、初期チャック間隔（標線間距離）を５０ｍｍとし、引張速度を３００ｍｍ／ｍｉｎとして測定される値を意味する。引張試験機としては、例えばＳＨＩＭＡＤＺＵ社製のＡＵＴＯＧＲＡＰＨ  ＡＧＳ−Ｇ１００Ｎを用いることができる。
・「伸長応力」とは、ＪＩＳ  Ｋ７１２７：１９９９「プラスチック−引張特性の試験方法−」に準じて、初期チャック間隔（標線間距離）を５０ｍｍとし、引張速度を３００ｍｍ／ｍｉｎとする引張試験により、弾性領域内で伸長するときに測定される引張応力（Ｎ／３５ｍｍ）を意味し、伸長の程度は試験対象により適宜決定することができる。試験片は幅３５ｍｍ、長さ８０ｍｍ以上の長方形状とすることが好ましいが、幅３５ｍｍの試験片を切り出すことができない場合には、切り出し可能な幅で試験片を作成し、測定値を幅３５ｍｍに換算した値とする。また、対象領域が小さく、十分な試験片を採取できない場合であっても、伸長応力の大小を比較するのであれば、適宜小さい試験片でも同寸法の試験片を用いる限り少なくとも比較は可能である。引張試験機としては、例えばＳＨＩＭＡＤＺＵ社製のＡＵＴＯＧＲＡＰＨ  ＡＧＳ−Ｇ１００Ｎを用いることができる。
・「展開状態」とは、収縮や弛み無く平坦に展開した状態を意味する。
・各部の寸法は、特に記載が無い限り、自然長状態ではなく展開状態における寸法を意味する。
・試験や測定における環境条件についての記載が無い場合、その試験や測定は、標準状態（試験場所は、温度２３±１℃、相対湿度５０±２％）の試験室又は装置内で行うものとする。
【産業上の利用可能性】
【００９０】
本発明は、弾性シート伸縮構造を適用可能な伸縮領域を有するものである限り、上記例のようなパンツタイプ使い捨ておむつの他、テープタイプ、パッドタイプ等の各種使い捨ておむつ、生理用ナプキン、スイミングや水遊び用の使い捨て着用物品等、使い捨て着用物品全般に利用できるものである。
【符号の説明】
【００９１】
１０…内装体、１０Ｂ…内外固定領域、１１…トップシート、１２…液不透過性シート、１３…吸収体、１３Ｎ…括れ部分、１４…包装シート、１７…無吸収体側部、２０…外装体、２０Ａ…第１シート層、２０Ｂ…第２シート層、２０Ｃ…折り返し部分、２０Ｘ…弾性シート伸縮構造、２１…サイドシール部、２３…ウエスト端部、２４…ウエスト部弾性部材、２５Ｆ，２５ｆ…収縮皺、２６…収縮皺、２９…脚周りライン、３０…弾性フィルム、３１…接合孔、３３…通気孔、４０…シート接合部（第１接合部）、４１…第２接合部、４２…第３接合部、４３…第４接合部、７０…非伸縮領域、８０…伸縮領域、９０…立体ギャザー、９３…倒伏部分、９４…自由部分、９５…ギャザーシート、９６…ギャザー弾性部材、Ｂ…後身頃、ＥＤ…伸縮方向（幅方向）、Ｆ…前身頃、Ｌ…中間部、ＬＤ…直交方向（前後方向）、Ｔ…胴周り部。
【図１】
2019103889.tif 000003
【図２】
2019103889.tif 000004
【図３】
2019103889.tif 000005
【図４】
2019103889.tif 000006
【図５】
2019103889.tif 000007
【図６】
2019103889.tif 000008
【図７】
2019103889.tif 000009
【図８】
2019103889.tif 000010
【図９】
2019103889.tif 000011
【図１０】
2019103889.tif 000012
【図１１】
2019103889.tif 000013
【図１２】
2019103889.tif 000014
【図１３】
2019103889.tif 000015
【図１４】
2019103889.tif 000016
【図１５】
2019103889.tif 000017
【図１６】
2019103889.tif 000018
【図１７】
2019103889.tif 000019
【図１８】
2019103889.tif 000020
【図１９】
2019103889.tif 000021
【図２０】
2019103889.tif 000022
【図２１】
2019103889.tif 000023
【図２２】
2019103889.tif 000024
【図２３】
2019103889.tif 000025
【図２４】
2019103889.tif 000026
【図２５】
2019103889.tif 000027
【図２６】
2019103889.tif 000028
【図２７】
2019103889.tif 000029
【図２８】
2019103889.tif 000030
【図２９】
2019103889.tif 000031
【図３０】
2019103889.tif 000032